(57)【要約】【課題】  シュラウドサポートプレートに設けられた貫通穴をふさぐことにより、原子炉炉底部からの炉心流の逆流を防ぐことを特徴とするシュラウドサポートプレートに関する。炉底部はアニュラス部よりも圧力が高いため、シュラウドサポートプレートに貫通穴が存在すると、炉底部側からアニュラス部側への流れが発生し、炉心流量を低減する要因となる。【解決手段】  シュラウドサポートプレートの貫通穴をふさぐための閉止蓋を設置することにより、炉底部側からアニュラス部側への流れの発生を防ぎ、炉心流量の低減防止を可能にする。【効果】  シュラウドサポートプレートの貫通穴をふさぐための閉止蓋を設置することにより、炉底部側からアニュラス部側への流れの発生を防ぎ、炉心流量の低減防止を実現することで、原子力発電所の安全・安定運転を図れるという効果がある。【選択図】図１
2005351629.tif 000002
【特許請求の範囲】
【請求項１】
原子炉に用いられるシュラウドサポートプレートにおいて、
該シュラウドサポートプレートに設けられた貫通穴をふさぐ閉止蓋を備えることにより、原子炉炉底部からの炉心流の逆流を防ぐことを特徴とするシュラウドサポートプレート。
【請求項２】
原子炉に用いられるシュラウドサポートプレートにおいて、
該シュラウドサポートプレートに設けられた貫通穴をふさぐことにより、原子炉炉底部への異物混入を防ぐことを特徴とするシュラウドサポートプレート。
【請求項３】
上記請求項１及び２において、
前記シュラウドサポートプレートに設けられた貫通穴を閉止蓋及びボルトによりふさぐことを特徴とするシュラウドサポートプレート。
【請求項４】
上記請求項１及び２において、
前記シュラウドサポートプレートに設けられた貫通穴を溶接構造の蓋でふさぐことを特徴とするシュラウドサポートプレート。
【請求項５】
上記請求項１及び２において、
シュラウドサポートプレートに設けられた貫通穴にメネジを加工し、オネジを有する閉止蓋をねじ込むことを特徴とするシュラウドサポートプレート。
【発明の詳細な説明】
【技術分野】
【０００１】
本発明は、沸騰水型原子炉において、炉心支持構造物であるシュラウドサポートプレートに関するものである。
【背景技術】
【０００２】
図８に沸騰水型原子炉炉内構造物の構成を示す。原子炉圧力容器１内に設置されるシュラウド２は、上部格子板３，炉心支持板４を介して燃料５を支持する役割を持つ。シュラウド２はシュラウドサポートシリンダ６，シュラウドサポートプレート７，シュラウドサポートレグ８を介して原子炉圧力容器１に固定される。シュラウドサポートプレート７にはディフューザ９が溶接固定されている。再循環水入口ノズル１０から入った冷却材は、ライザ１１，インレットミキサ１２を経由して方向が変換され、炉底部１３に送り込まれる。
【０００３】
シュラウド２に損傷が発生した場合、従来は損傷個所を砥石等で除去するか、または特開平８−２１１１８７号公報［特許文献１］，特開平８−３１３６７６号公報［特許文献２］に記載のように、シュラウド２の上部とシュラウドサポートプレート７を固定部材でつなぐ修理工法が提案されている。
【０００４】
【特許文献１】特開平８−２１１１８７号公報
【特許文献２】特開平８−３１３６７６号公報
【発明の開示】
【発明が解決しようとする課題】
【０００５】
上記従来技術のうち、シュラウド２を固定部材でつなぐ修理工法については、修理の過程でシュラウドサポートプレート７に復生する貫通穴１４を明ける必要が有り、将来、タイロッド部材を撤去した場合、シュラウドサポートプレート７に貫通穴１４が残存する構造となる。
【０００６】
炉底部１３はアニュラス部１５よりも圧力が高いため、シュラウドサポートプレート７に貫通穴１４が存在すると、炉底部１３からアニュラス部１５への流れが発生し、炉心流量を低減する要因となる。
【０００７】
本発明の目的は、シュラウドサポートプレート７に残存する貫通穴１４をふさぐことにより、炉底部１３からアニュラス部１５への流れの発生を防ぎ、炉心流量の低減を防ぐことにある。
【０００８】
本発明の他の目的は、シュラウドサポートプレート７に残存する貫通穴１４をふさぐことにより、炉内工事時に、異物等が炉底部に落下するポテンシャルを低減することにある。
【課題を解決するための手段】
【０００９】
本発明では、上記課題を達成するために、原子炉に用いられるシュラウドサポートプレートにおいて、該シュラウドサポートプレートに設けられた貫通穴をふさぐ閉止蓋を備えることにより、原子炉炉底部からの炉心流の逆流を防ぐことを特徴とするものである。
【００１０】
また、本発明では上記他の課題を達成するために、原子炉に用いられるシュラウドサポートプレートにおいて、該シュラウドサポートプレートに設けられた貫通穴をふさぐことにより、原子炉炉底部への異物混入を防ぐことを特徴とするものである。
【００１１】
また、本発明ではシュラウドサポートプレートにおいて、該シュラウドサポートプレートに設けられた貫通穴を閉止蓋及びボルトによりふさぐことを特徴とするものである。
【００１２】
また、本発明ではシュラウドサポートプレートにおいて、該シュラウドサポートプレートに設けられた貫通穴を溶接構造の蓋でふさぐことを特徴とするものである。
【００１３】
また、本発明ではシュラウドサポートプレートにおいて、該シュラウドサポートプレートに設けられた貫通穴にメネジを加工し、オネジを有する閉止蓋をねじ込むことを特徴とするものである。
【発明の効果】
【００１４】
本発明によれば、シュラウドサポートプレートの貫通穴をふさぐためのシュラウドサポートプレート貫通穴閉止蓋を設置することにより、炉底部からアニュラス部への流れの発生を防ぎ、炉心流量の低減防止を実現することで、原子力発電所の安全・安定運転を図れるという効果がある。
【００１５】
また本発明によれば、シュラウドサポートプレートの貫通穴をふさぐことにより、炉内工事時の、異物等の炉底部落下ポテンシャル低減を実現することで、原子力発電所の安全・安定運転を図れるという効果がある。
【発明を実施するための最良の形態】
【００１６】
以下、本発明の実施例を図１〜図７を用いて説明する。
【００１７】
図１は、第１実施形態を示すシュラウドサポートプレート貫通穴閉止蓋１６及びその周辺の断面図である。
【００１８】
本実施形態では、シュラウド２、シュラウドサポートプレート７，シュラウドサポートレグ８の位置関係が従来と同様であるが、シュラウドサポートプレート貫通穴１４に、シュラウドサポートプレート貫通穴閉止蓋１６が設けられている点において、従来と異なっている。シュラウドサポートプレート貫通穴閉止蓋１６の設置方法は、水中遠隔操作により行う方法と、シュラウド取替工事と同時に気中で行う方法が考えられるが、ここでは実現性の観点から後者の方法について説明する。
【００１９】
シュラウドサポートプレート貫通穴閉止蓋１６の取付手順を図２に従って説明する。ここで、シュラウドサポートプレート貫通穴閉止蓋１６取付前には、既設シユラウドの撤去、及び図示しない炉内遮へい体の設置によるシュラウドサポートプレート７へのアクセスルートの確保が行われており、作業者が、気中でシュラウドサポートプレート貫通穴１４近傍に近づけるものとする。
【００２０】
まず、シュラウドサポートプレート貫通穴１４に図示しない穴加工機を設置し、図２
（ｂ）に示す形状にシュラウドサポートプレート貫通穴１４を加工する。その後、シュラウドサポートプレート貫通穴１４にシュラウドサポートプレート貫通穴閉止蓋１６を設置し、図２（ｄ）に示す１本または複数のＬ型ボルト１７によりシュラウドサポートプレート７ヘシュラウドサポートプレート貫通穴閉止蓋１６を固定し、Ｌ型ボルト１７に取り付けたキーパ１８を溶接等で廻り止めすることにより、シュラウドサポートプレート貫通穴閉止蓋１６を固定することができる。
【００２１】
図３〜図５は、それぞれ第２，第３，第４実施形態を示すシュラウドサポートプレート貫通穴閉止構造である。図３は、シュラウドサポートプレート貫通穴閉止蓋１６の板厚を厚くすることを特徴としている。図４及び図５は、シュラウドサポートプレート貫通穴閉止蓋１６をシュラウドサポートプレート７の下側から取り付けることを特徴としている。
【００２２】
図６は、第５実施形態を示すシュラウドサポートプレート貫通穴閉止構造である。ボルト１９の頭部２０を固定するくぼみを有するシュラウドサポートプレート貫通穴下側閉止蓋２１と、シュラウドサポートプレート貫通穴上側閉止蓋２２により、シュラウドサポートプレート貫通穴１４をふさぐことを特徴としている。
【００２３】
以上示した図４〜図６に示す形態は、炉底部１３とアニュラス部１５の差圧による上向きの力がボルトに作用しないため、図１及び図３に示す形態と比較して、ボルトの外径を小さくできるという利点がある。
【００２４】
図７は、第６実施形態を示すシュラウドサポートプレート貫通穴閉止構造である。図７のように、シュラウドサポートプレート貫通穴１４へメネジ２３を加工し、シュラウドサポートプレート貫通穴閉止蓋１６の代替としてオネジ２４をねじ込むことも可能である。
【００２５】
また、図１及び図３〜図５の実施例において、シュラウドサポートプレート貫通穴閉止蓋１６をシュラウドサポートプレート７に溶接装置により直接溶接固定する構造も可能である。
【００２６】
以上、示したように発明によれば、シュラウドサポートプレート７の貫通穴１４をふさぐためのシュラウドサポートプレート貫通穴閉止蓋１６を設置することにより、炉底部
１３からアニュラス部１５への流れの発生を防ぎ、炉心流量の低減防止を実現することで、原子力発電所の安全・安定運転を図れるという効果がある。
【００２７】
また本発明によれば、シュラウドサポートプレート７の貫通穴１４をふさぐためのシュラウドサポートプレート貫通穴閉止蓋１６を設置することにより、炉内工事時の、異物等の炉底部落下ポテンシャル低減を実現することで、原子力発電所の安全・安定運転を図れるという効果がある。
【図面の簡単な説明】
【００２８】
【図１】本説明に関わるシュラウドサポートプレートの第１実施形態を示すシュラウドサポートプレート構造図。
【図２】シュラウドサポートプレート貫通穴閉止蓋取付手順。
【図３】本説明に関わるシュラウドサポートプレートの第２実施形態を示すシュラウドサポートプレート構造図。
【図４】本説明に関わるシュラウドサポートプレートの第３実施形態を示すシュラウドサポートプレート構造図。
【図５】本説明に関わるシュラウドサポートプレートの第４実施形態を示すシュラウドサポートプレート構造図。
【図６】本説明に関わるシュラウドサポートプレートの第５実施形態を示すシュラウドサポートプレート構造図。
【図７】本説明に関わるシュラウドサポートプレートの第６実施形態を示すシュラウドサポートプレート構造図。
【図８】沸騰水型原子炉炉内構造物の構成図。
【符号の説明】
【００２９】
１…圧力容器、２…シュラウド、７…シュラウドサポートプレート。
【図１】
2005351629.tif 000003
【図２】
2005351629.tif 000004
【図３】
2005351629.tif 000005
【図４】
2005351629.tif 000006
【図５】
2005351629.tif 000007
【図６】
2005351629.tif 000008
【図７】
2005351629.tif 000009
【図８】
2005351629.tif 000010